(57)【特許請求の範囲】
【請求項１】
転送データを記憶する第１の記憶部と、 
前記第１の記憶部より少ない消費電力で動作し、前記第１の記憶部よりも速い速度で画像データと音声データとの少なくとも一方を含む取得データを記憶する第２の記憶部と、 
前記第２の記憶部が記憶した前記取得データを前記転送データとして転送する転送部と、 
所定の電源から供給される商用電源によって充電され、電源を前記第１の記憶部、前記第２の記憶部及び前記転送部に供給できるバッテリと、 
前記商用電源の電圧が所定の値以下であることを検出した際、電源断信号を出力する電源監視部と、 
前記第１の記憶部、前記第２の記憶部及び前記転送部の各々を前記バッテリに接続する第１の接続設定と、前記第２の記憶部を前記バッテリに接続し、前記第１の記憶部及び前記転送部を前記バッテリに接続しない第２の接続設定とのどちらかを設定する接続設定部とを備え、 
前記電源監視部が前記電源断信号を出力するまでは、前記接続設定部が前記第１の接続設定に設定し、前記商用電源が前記バッテリを介して前記第１の記憶部、前記第２の記憶部及び前記転送部の各々に供給され、
前記電源監視部が前記電源断信号を出力したとき、前記接続設定部が前記第１の接続設定から前記第２の接続設定へ切り換え、前記バッテリの電源が前記第２の記憶部に供給されるが、前記第１の記憶部及び前記転送部には供給されない
記憶装置。 
【請求項２】
前記商用電源の電圧が所定の値を上回ることを検出した際、電源入信号を出力する前記電源監視部と 
電源入信号が出力されると、前記第２の接続設定から前記第１の接続設定へ切り換える前記接続設定部とを備える 
請求項１に記載の記憶装置。 
【請求項３】
前記第１の記憶部、前記第２の記憶部及び前記転送部を制御する制御部を備え、 
前記接続設定部が前記第１の接続設定に設定しているとき、前記制御部は、前記第１の記憶部、前記第２の記憶部及び前記転送部とを制御し、 
前記接続設定部が前記第２の接続設定に設定しているとき、前記制御部は、前記第１の記憶部及び前記転送部とを制御しない、 
請求項１又は２に記載の記憶装置。 
【請求項４】
転送データを記憶する第１の記憶部と、 
前記第１の記憶部より少ない消費電力で動作し、前記第１の記憶部よりも速い速度で画像データと音声データとの少なくとも一方を含む取得データを記憶する第２の記憶部と、 
前記第２の記憶部が記憶した前記取得データを前記転送データとして転送する転送部と、 
所定の電源から供給される商用電源によって充電され、電源を前記第１の記憶部、前記第２の記憶部及び前記転送部に供給できるバッテリと、 
を備える記憶装置の記憶方法であって、 
前記第１の記憶部、前記第２の記憶部及び前記転送部の各々を前記バッテリに接続する第１の接続設定に設定し、前記商用電源が前記バッテリを介して前記第１の記憶部、前記第２の記憶部及び前記転送部の各々に供給される第１接続ステップと、 
前記商用電源の電圧が所定の値以下であるとき、第１の接続設定から、前記第２の記憶部を前記バッテリに接続し、前記第１の記憶部及び前記転送部を前記バッテリに接続しない第２の接続設定へ切り換え、前記バッテリの電源が前記第２の記憶部へ供給されるが、前記第１の記憶部及び前記転送部へは供給されない第２接続ステップと、 
を含む記憶方法。 
【請求項５】
転送データを記憶する第１の記憶部と、 
前記第１の記憶部より少ない消費電力で動作し、前記第１の記憶部よりも速い速度で画像データと音声データとの少なくとも一方を含む取得データを記憶する第２の記憶部と、 
前記第２の記憶部が記憶した前記取得データを前記転送データとして転送する転送部と、 
所定の電源から供給される商用電源によって充電され、電源を前記第１の記憶部、前記第２の記憶部及び前記転送部に供給できるバッテリと、 
を備える記憶装置の記憶プログラムであって、 
前記第１の記憶部、前記第２の記憶部及び前記転送部の各々を前記バッテリに接続する第１の接続設定に設定し、前記商用電源が前記バッテリを介して前記第１の記憶部、前記第２の記憶部及び前記転送部の各々に供給される第１接続ステップと、 
前記商用電源の電圧が所定の値以下であるとき、第１の接続設定から、前記第２の記憶部を前記バッテリに接続し、前記第１の記憶部及び前記転送部を前記バッテリに接続しない第２の接続設定へ切り換え、前記バッテリの電源が前記第２の記憶部へ供給されるが、前記第１の記憶部及び前記転送部へは供給されない第２接続ステップと、 
を含む処理をコンピュータに行わせる記憶プログラム。
【発明の詳細な説明】
【技術分野】
【０００１】
本発明は、例えば画像データや音声データ等を記憶する記憶装置、記憶方法及び記憶プログラムである。
【背景技術】
【０００２】
特許文献１には、停電時に、電源を補助バッテリへ切り換えて、ＡＶ（Ａｕｄｉｏ  Ｖｉｓｕａｌ）データの記録媒体を消費電力の少ないものへ切り換える録画装置が開示されている。すなわち、特許文献１に記載の発明では、停電が発生するまでの通常状態のときには、商用電源を用いて録画を行い、ＨＤＤ（Ｈａｒｄ  Ｄｉｓｋ  Ｄｒｉｖｅ）にＡＶデータを記憶する。また、特許文献１に記載の録画装置は、停電が発生した場合に、電源を商用電源から補助バッテリに切り換えた後に、接続をＨＤＤからＨＤＤよりも消費電力の少ないフラッシュメモリへ切り換えて、ＡＶデータをフラッシュメモリに記憶する。また他にも、本発明に関連する技術が、特許文献２―５に開示されている。
【先行技術文献】
【特許文献】
【０００３】
【特許文献１】特開２０１５―７６７３０号公報
【特許文献２】特開２００８―１４１６３６号公報
【特許文献３】特開２００５―３０２２２６号公報
【特許文献４】特開２００５―０４４４３２号公報
【特許文献５】特開平５―５３９３１号公報
【発明の概要】
【発明が解決しようとする課題】
【０００４】
しかし、特許文献１に記載されている発明では、停電が発生したときに電源を商用電源から補助バッテリへ切り換えるので、電源の瞬断が発生してしまう。これにより、ＨＤＤやフラッシュメモリ等の記録媒体へ保存するＡＶデータが欠落することがあった。
【課題を解決するための手段】
【０００５】
本発明に係る記憶装置は、転送データを記憶する第１の記憶部と、第１の記憶部より少ない消費電力で動作し、第１の記憶部よりも速い速度で、画像データと音声データとの少なくとも一方を含む取得データを記憶する第２の記憶部と、第２の記憶部が記憶した取得データを転送データとして転送する転送部と、所定の電源から供給される商用電源よって充電され、電源を出力するバッテリと、商用電源の電圧が所定の値以下であることを検出した際、電源断信号を出力する電源監視部と、第１の記憶部、第２の記憶部及び転送部との各々をバッテリに接続する第１の接続設定と、第２の記憶部をバッテリに接続し、第１の記憶部及び転送部とをバッテリに接続しない第２の接続設定とのどちらかを設定する接続設定部とを備え、電源監視部が電源断信号を出力するまでは、接続設定部は第１の接続設定に設定し、電源監視部が電源断信号を出力したとき、接続設定部は第１の接続設定から第２の接続設定へ切り換える。
【０００６】
本発明に係る記憶方法は、転送データを記憶する第１の記憶部と、第１の記憶部より少ない消費電力で動作し、第１の記憶部よりも速い速度で画像データと音声データとの少なくとも一方を含む取得データを記憶する第２の記憶部と、前記第２の記憶部が記憶した前記取得データを前記転送データとして転送する転送部と、所定の電源から供給される商用電源によって充電され、電源を出力するバッテリと、を備える記憶装置の記憶方法であって、前記第１の記憶部と、前記第２の記憶部及び前記転送部との各々を前記バッテリに接続する第１の接続設定に設定する第１接続ステップと、前記商用電源の電圧が所定の値以下であるとき、第１の接続設定から、前記第２の記憶部を前記バッテリに接続し、前記第１の記憶部及び前記転送部を前記バッテリに接続しない第２の接続設定へ切り替える第２接続ステップと、を含む。
【０００７】
本発明に係る記憶プログラムは、転送データを記憶する第１の記憶部と、第１の記憶部より少ない消費電力で動作し、第１の記憶部よりも速い速度で画像データと音声データとの少なくとも一方を含む取得データを記憶する第２の記憶部と、第２の記憶部が記憶した取得データを転送データとして転送する転送部と、所定の電源から供給される商用電源によって充電され、電源を出力するバッテリと、を備える記憶装置の記憶方法であって、第１の記憶部と、第２の記憶部及び転送部との各々をバッテリに接続する第１の接続設定に設定する第１接続ステップと、商用電源の電圧が所定の値以下であるとき、第１の接続設定から、第２の記憶部をバッテリに接続し、第１の記憶部及び転送部をバッテリに接続しない第２の接続設定へ切り替える第２接続ステップと、を含む処理をコンピュータに行わせる。
【発明の効果】
【０００８】
本発明は、停電が発生しても、消費電力を抑制しつつ、データの欠落を防いでデータを記憶する記憶装置等を提供するものである。
【図面の簡単な説明】
【０００９】
【図１】本発明の第１の実施形態における記憶装置の構成を示すブロック図である。
【図２】本発明の第１の実施形態における記憶装置の動作フローを示す図である。
【図３】本発明の第１の実施形態における記憶装置の動作フローを示す図である。
【図４】本発明の第１の実施形態における記憶装置の動作フローを示す図である。
【図５】本発明の第２の実施形態における記憶装置の構成を示すブロック図である。
【図６】本発明の第２の実施形態における記憶装置の動作フローを示す図である。
【発明を実施するための形態】
【００１０】
（第１の実施形態）
第１の実施形態における記憶装置１０について、図１に基づき説明する。図１は、記憶装置１０の構成を示すブロック図である。例えば、記憶装置１０は、録画装置である。
【００１１】
記憶装置１０は、電源供給部２０と、電源部２５と、記憶機器３０と、ＳＤＲＡＭ（Ｓｙｎｃｈｒｏｎｏｕｓ Ｄｙｎａｍｉｃ Ｒａｎｄｏｍ Ａｃｃｅｓｓ Ｍｅｍｏｒｙ）３５と、録画監視部４０と、データ取得部４５と、ＡＶ入出力部５０と、外部ペリフェラル入出力部５５と、制御部６０とを備えている。また、電源部２５は、電源監視部２６と、接続設定部２７と、バッテリ２８とを備えている。また、記憶機器３０は、第１の記憶部３１と、第２の記憶部３２と転送部３３とを備えている。
【００１２】
電源供給部２０は、電源部２５と接続されている。電源供給部２０は、商用電源の入力を受ける。商用電源とは、電力会社等から電力消費者に届けられる電力を指す。電源供給部２０は、商用電源をバッテリ２８に供給する。具体的には、電源供給部２０は、入力された商用電源を、所定の電圧に変換してバッテリ２８へ出力する。これにより、バッテリ２８が充電される。
【００１３】
電源部２５は、電源供給部２０と接続されている。また、電源部２５は、接続設定部２７が後述する第２の接続設定を設定しているとき、第２の記憶部３２と、ＳＤＲＡＭ３５と、録画監視部４０と、データ取得部４５と、制御部６０と接続する。
【００１４】
電源監視部２６は、商用電源の電圧が所定の値以下であることを検出した際、接続設定部２７と録画監視部４０とに電源断信号を出力する。一方で、電源監視部２６は、商用電源の電圧が所定の値以下であることを検出した際、接続設定部２７と制御部６０とに電源断信号を出力してもよい。さらに、電源監視部２６は、商用電源の電圧が所定の値を上回ることを検出した際、接続設定部２７と録画監視部４０に電源入信号を出力する。一方で、電源監視部２６は、商用電源の電圧が所定の値を上回ることを検出した際、接続設定部２７と制御部６０とに電源入信号を出力してもよい。電源監視部２６は、常に、例えば電源供給部２０から電源部２５へ出力される商用電源の電圧を監視している。これによって、電源監視部２６は、常に商用電源の電圧が所定の値を上回るのか、所定の値以下であるのかを検出する。例えば、停電が発生したとき、商用電源の電圧の値は０となる。また、電源供給部２６は、商用電源の電力を監視していても良い。この場合、電源監視部２６は、常に商用電源の電力が所定の値を上回るのか、所定の値以下であるのかを検出する。
【００１５】
接続設定部２７は、第１の接続設定と、第２の接続設定とのどちらかを設定する。第１の接続設定とは、第１の記憶部３１、第２の記憶部３２及び転送部３３との各々をバッテリ２８に接続する設定である。また、第２の接続設定は、第２の記憶部３２をバッテリ２８に接続し、第１の記憶部３１及び転送部３３をバッテリ２８に接続しない設定である。また、接続設定部２７は、電源監視部２６が電源断信号を出力するまでは第１の接続設定を設定する。また、接続設定部２７は、電源監視部２６が電源断信号を出力すると、第１の接続設定から第２の接続設定へ切り換える。さらに、接続設定部２７は、電源入信号が入力されると、第２の接続設定から第１の接続設定へ切り換える。図１の例では、第１の接続設定は、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５と、制御部６０とにバッテリ２８を接続する設定である。また第２の接続設定は、第２の記憶部３２と、ＳＤＲＡＭ３５と、録画監視部４０と、データ取得部４５と、制御部６０とにバッテリ２８を接続する設定である。接続設定部２７は、図示しない複数の電源遮断用のスイッチを備えてもよい。この場合、電源遮断用のスイッチのそれぞれは、第１の記憶部３１、第２の記憶部３２、転送部３３、ＳＤＲＡＭ３５、録画監視部４０、データ取得部４５、ＡＶ入出力部５０、外部ペリフェラル入出力部５５及び制御部６０毎に設けられている。また、電源遮断用のスイッチの各々は、上述の第１の記憶部３１等とバッテリ２８とが接続された状態か、接続されていない状態かを個別に切換えられるように設けられている。
【００１６】
バッテリ２８は、所定の電源から供給される商用電源によって充電され、電力を出力する。図１の例では、バッテリ２８は、電源供給部２０から供給される商用電源の一部によって充電される。そして、バッテリ２８は、供給される商用電源の残部と充電による放電電力とを、バッテリ２８の接続先へ出力する。供給される商用電源の残部とは、電源供給部２０から供給される商用電源のうち、充電に使用されなかった部分を指す。また、バッテリ２８は、接続設定部２７の接続設定に応じて、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５と、制御部６０と個別に接続される。
【００１７】
第１の記憶部３１は、制御部６０と接続されている。また、第１の記憶部３１は、接続設定部２７の接続設定に応じて、バッテリ２８と接続される。第１の記憶部３１は、転送データを記憶する。図１の例では、第１の記憶部３１は、接続設定部２７が第１の接続設定に設定しているとき、転送部３３によって第２の記憶部３２から転送される転送データを記憶する。また、第１の記憶部３１は、制御部６０から入力される制御信号に従って動作する。第１の記憶部３１は、例えばＨＤＤ等である。
【００１８】
第２の記憶部３２は、制御部６０と接続されている。また、第２の記憶部３２は、接続設定部２７の接続設定に応じて、バッテリ２８と接続される。第２の記憶部３２は、画像データと音声データとの少なくとも一方を含む取得データを記憶する。また、第２の記憶部３２は、第１の記憶部３１より少ない消費電力で動作し、第１の記憶部よりも速い速度で、取得データを記憶するように設定されている。図１の例では、第２の記憶部３２は、データ取得部４５から入力された取得データを記憶する。また、第２の記憶部３２は、制御部６０から入力される制御信号に従って動作する。第２の記憶部３２は、フラッシュメモリ等である。
【００１９】
転送部３３は、第２の記憶部３１が記憶した取得データを転送データとして転送する。具体的には、転送部３３は、接続設定部２７が第１の接続設定に設定しているとき、第２の記憶部３２が記憶した取得データを転送データとして第１の記憶部３１に転送する。転送部３３は、ＤＭＡＣ（Ｄｉｒｅｃｔ  Ｍｅｍｏｒｙ  Ａｃｃｅｓｓ  Ｃｏｎｔｒｏｌｌｅｒ）等である。
【００２０】
ＳＤＲＡＭ３５は、制御部６０と電源部２５とに接続されている。また、ＳＤＲＡＭ３５は、制御部６０から入力される制御信号に従って動作する。ＳＤＲＡＭ３５は、制御部６０がデコード処理等の各種処理を行う際に用いるメモリである。例えば、ＳＤＲＡＭ３５は、制御部６０がデコード処理を行う際に取得データを一時的に記憶する。
【００２１】
録画監視部４０は、制御部６０とバッテリ２８とに接続されている。また、録画監視部４０は、制御部６０から入力される制御信号に従って動作する。録画監視部４０は、現在の時刻を監視する。そして、録画監視部４０は、現在の時刻が録画を開始する時刻又は終了する時刻であるか否かを判定する。例えば、録画監視部４０は、ユーザから番組録画の入力を受け付けると、録画番組の開始時間、終了時間、チャンネル（局番）などの録画情報を取得する。そして、録画監視部４０は、現在の時刻と前述の録画情報を参照して、録画を開始する時刻であるか否かを判定する。そして、録画監視部４０は、録画を開始する時刻であると判定したとき、制御部６０に録画の開始を指示する。また、録画監視部４０は、電源監視部２６から電源断信号が入力されたとき、制御部６０に電源の断絶を通知する。さらに、録画監視部４０は、電源監視部２６から電源入信号が入力されたとき、制御部６０に電源の入力を通知する。
【００２２】
データ取得部４５は、制御部６０とバッテリ２８と接続されている。データ取得部４５は、画像データと音声データとの少なくとも一方を取得データとして取得する。データ取得部４５は、第２の記憶部３２へ取得データを出力する。図１の例では、データ取得部４５は、制御部６０を介して、デコード処理後の取得データを第２の記憶部３２へ取得データを出力する。データ取得部４５は、制御部６０からの制御信号に従って動作する。また、データ取得部４５は、例えばデジタル放送信号を受信するチューナ等である。
【００２３】
ＡＶ入出力部５０は、制御部６０と接続されている。また、ＡＶ入出力部５０は、接続設定部２７の接続設定に応じて、バッテリ２８と接続される。ＡＶ入出力部５０は、制御部６０からの制御信号に従ってＡＶデータの入出力を行う。ＡＶ入出力部５０は、外部機器に対して画像や音声のＡＶデータを入出力するインタフェースである。例えば、ＡＶ入出力部５０は、図示しないモニタやスピーカ、マイクなどに接続されている。そして、ＡＶ入出力部５０は、録画したＡＶデータをモニタ等に出力する。ＡＶ入出力部５０は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、Ｄ４端子、及びコンポジット端子等の少なくとも一つを備えている。
【００２４】
外部ペリフェラル入出力部５５は、制御部６０と接続されている。また、外部ペリフェラル入出力部５５は、接続設定部２７の接続設定に応じて、バッテリ２８と接続される。外部ペリフェラル入出力部５５は、制御部６０からの制御信号に従って動作する。外部ペリフェラル入出力部５５は、外部機器と各種制御データを入出力するインタフェース（Ｉ／Ｆ）である。外部ペリフェラル入出力部５５は、ＵＳＢ端子、ＬＡＮ（Ｌｏｃａｌ  Ａｒｅａ  Ｎｅｔｗｏｒｋ）端子（例えば、無線ＬＡＮ端子等）等の少なくとも一つを備えている。
【００２５】
制御部６０は、バッテリ２８と、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５と接続されている。制御部６０は、接続設定部２７が第１の接続設定に設定しているとき、少なくとも、第１の記憶部３１と第２の記憶部３２と転送部３３を制御する。また、制御部６０は、接続設定部２７が第２の接続設定に設定しているとき、第１の記憶部３１と転送部３３を制御しない。図１の例では、制御部６０は、接続設定部２７が第１の接続設定に設定しているとき、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５とを制御する。図１の例では、制御部６０は、電源監視部２６が電源断信号を出力するまでと、電源監視部２６が電源入信号を出力した後において、接続設定部２７が第１の接続設定を設定していると判断する。一方で、制御部６０は、録画監視部４０が電源の断絶を通知するまでと、録画監視部４０が電源の入力を通知した後において、接続設定部２７が第１の接続設定を設定していると判断してもよい。また、制御部６０は、接続設定部２７が第２の接続設定を設定しているとき、第２の記憶部３２と、ＳＤＲＡＭ３５と、録画監視部４０と、データ取得部４５とを制御する。図１の例では、制御部６０は、電源監視部２６が電源断信号を出力してから電源入信号を出力するまで、接続設定部２７が第２の接続設定を設定していると判断する一方で、制御部６０は、録画監視部４０が電源の断絶を通知してから電源の入力を通知するまで、接続設定部２７が第２の接続設定を設定していると判断しても良い。制御部６０は、例えばＭＰＥＧ（Ｍｏｔｉｏｎ  Ｐｉｃｔｕｒｅ  Ｅｘｐｅｒｔｓ  Ｇｒｏｕｐ）デコーダＬＳＩ（Ｌａｒｇｅ  Ｓｃａｌｅ  Ｉｎｔｅｇｒａｔｉｏｎ）である。制御部６０は、データ取得部４５が取得した取得データを復号して、ＡＶデータに変換する。ＡＶデータは録画番組の映像データと音声データを含んでいる。例えば、制御部６０は、データ取得部４５が取得したフルセグメント（１２セグ）の放送信号を、ＭＰＥＧ−２／Ｈ．２６４方式でデコード処理する。さらに、制御部６０は、外部ペリフェラル入出力部５５やＡＶ入出力部５０とのデータの受け渡しを行う。
【００２６】
制御部６０は、データ取得部４５が取得した取得データを、ＳＤＲＡＭ３５を用いてデコード処理する。デコード処理の詳細は、後述する動作の説明で示す。そして、制御部６０は、デコード処理後の取得データを出力する。制御部６０は、デコード処理後の取得データを第２の記憶部３２へ出力する。
【００２７】
また、制御部６０は、制御ブロック６０ａ〜６０ｇを備えている。制御ブロック６０ａ〜６０ｈのそれぞれは、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５と個別に接続されている。制御部６０は、制御ブロック６０ａ〜６０ｈを介して、制御ブロック６０ａ〜６０ｈのそれぞれの接続先（例えば、第１の記憶部３１等）へ制御信号を出力する。さらに、複数の制御ブロック６０ａ〜６０ｈは、それぞれが図示しない制御信号遮断スイッチを備えている。制御部６０は、制御信号遮断スイッチがＯＮになったとき、ＯＮになった制御信号遮断スイッチの接続先に対する制御信号の出力を停止する。例えば、制御部６０は、制御ブロック６０ａが備える制御信号遮断スイッチがＯＮになったとき、第１の記憶部３１に対する制御信号の出力を停止する。また、制御部６０は、制御ブロック６０ａ〜６０ｈの各制御信号遮断スイッチがＯＦＦになったとき、ＯＦＦになった制御信号遮断スイッチを備える制御ブロックの接続先へ制御信号を出力する。例えば、制御部６０は、制御ブロック６０ａの制御信号遮断スイッチがＯＦＦになったとき、第１の記憶部３１に対する制御信号を出力する。
【００２８】
本実施形態において、制御部６０は、接続設定部２７が第１の接続設定を設定しているときにおいて、制御ブロック６０ａ〜６０ｈに電源を供給する。このとき、制御部６０は、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５とに、制御信号を出力する。また、制御部６０は、接続設定部２７が第２の接続設定を設定しているときにおいて、制御ブロック６０ｂ、６０ｄ〜６０ｆに電源を供給する。このとき、制御部６０は、第２の記憶部３２と、ＳＤＲＡＭ３５と、録画監視部４０と、データ取得部４５とに、制御信号を出力する。
【００２９】
次に図２、図３及び図４を用いて、記憶装置１０の動作を説明する。図２〜図４は、記憶装置１０の動作を示す図である。
【００３０】
まず、図２〜図４に示す動作フローを説明する下記の動作は、バッテリ２８が、電源供給部２０から供給される商用電源によって充電されていることを前提とする。また、電源供給部２０に所定の値を上回る電圧の商用電源が入力されると、電源監視部２６は、接続設定部２７と録画監視部４０とに電源入信号を出力するものとする。
【００３１】
電源供給部２０に所定の値を上回る電圧の商用電源が入力されると、電源監視部２６は、接続設定部２７と録画監視部４０とに電源入信号を出力し、接続設定部２７は、第１の接続設定を設定する（Ｓ１０１）。これにより、接続設定部２７は、第１の記憶部３１と第２の記憶部３２と転送部３３とＳＤＲＡＭ３５と録画監視部４０とデータ取得部４５とＡＶ入出力部５０と外部ペリフェラル入出力部５５と制御部６０とを、バッテリ２８に接続する。
【００３２】
バッテリ２８は、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５と、制御部６０とに電源を出力する（Ｓ１０２）。具体的には、バッテリ２８は、電源供給部２０より供給される商用電源のうち、充電に使用しなかった部分を出力する。なお、バッテリ２８は、充電による放電電力を出力しても良い。
【００３３】
録画監視部４０は、現在の時刻が録画を開始する時刻であるかを判定する（Ｓ１０３）。
【００３４】
録画監視部４０は、現在の時刻が録画を開始する時刻であると判定されなかった場合（Ｓ１０３のＮｏ）、所定の時間の経過後、もう一度判定を行う（Ｓ１０３）。
【００３５】
録画監視部４０が現在の時刻が録画を開始する時刻であると判定した場合（Ｓ１０３のＹｅｓ）、電源監視部２６は、商用電源の電圧が所定の値以下であるか否かを判定する（Ｓ１０４）。
【００３６】
電源監視部２６が商用電源の電圧が所定の値以下であることを検出した場合（Ｓ１０４のＹｅｓ）、電源監視部２６は、接続設定部２７と録画監視部４０に電源断信号を出力する（図３のＳ２０１）。
【００３７】
制御部６０は、電源監視部２６が商用電源の電圧が所定の値以下であることを検出しなかった場合（Ｓ１０４のＮｏ）、制御ブロック６０ａ〜６０ｈのそれぞれの接続先に制御信号を出力する。そして、データ取得部４５は、制御部６０を介して、デコード処理後の取得データを第２の記憶部３２へ出力する（Ｓ１０５）。そして、転送部３３は、第２の記憶部３２が記憶した取得データを転送データとして、第１の記憶部３１へ出力する（Ｓ１０５）。このとき、制御部６０は、制御ブロック６０ａ〜６０ｈを介して、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５とに制御信号を出力する。このステップにおける動作は、具体的には次のように行われる。データ取得部４５が、デジタル信号である取得データを制御部６０へ出力する。次に、制御部６０は、デジタル信号である取得データをＳＤＲＡＭ３５に記憶させる。そして、制御部６０は、ＳＤＲＡＭ３５が記憶している取得データに対してデコード処理を行い、ＡＶデータに変換する。制御部６０は、変換した取得データを、ＳＤＲＡＭ３５から取り出して、第２の記憶部３２へ出力する。このとき、ＳＤＲＡＭ３５は、記憶している取得データを削除する。第２の記憶部３２は、出力された取得データを記憶する。最後に、転送部３３は、第２の記憶部３２が記憶した取得データを転送データとして、第１の記憶部３１へ転送する。
【００３８】
電源監視部２６は、Ｓ１０５の処理と並行して、商用電源の電圧が所定の値以下であるか否かを判定する。（Ｓ１０６）
電源監視部２６が商用電源の電圧が所定の値以下であることを検出した場合（Ｓ１０６のＹｅｓ）、電源監視部２６は図３に記載のＳ２０１の処理を行う。
【００３９】
録画監視部４０は、電源監視部２６が商用電源の電圧が所定の値以下であることを検出しなかった場合（Ｓ１０６のＮｏ）、現在の時刻が録画を終了する時刻であるか否かを判定する（Ｓ１０７）。
【００４０】
録画監視部４０が現在の時刻が録画を終了する時刻でないと判定した場合（Ｓ１０７のＮｏ）、制御部６０及び転送部３３は、Ｓ１０５の処理を継続する。
【００４１】
録画監視部４０が現在の時刻が録画を終了する時刻であると判定した場合（Ｓ１０７のＹｅｓ）、バッテリ２８によるバッテリ２８の接続先への電源の出力は停止される（Ｓ１０８）。さらに、制御部６０は、データ取得部４５によるデータの出力及び転送部３３による転送を停止する（Ｓ１０８）。すなわち、Ｓ１０２の処理及びＳ１０５の処理は停止される。
【００４２】
なお、本実施形態における図２に示す動作では、Ｓ１０４とＳ１０６との処理において電源監視部２６は、商用電源の電圧が所定の値以下であることを検出した場合、Ｓ２０１の処理を行うとした。しかし、前述の通り、電源監視部２６は、常に商用電源の電圧が所定の値を上回るのか、所定の値以下であるのかを監視する。これにより、Ｓ１０１〜Ｓ１０６の処理のいずれかの間で、電源監視部２６は、商用電源の電圧が所定の値以下であることを検出した場合、Ｓ２０１の処理を行うとしてもよい。
【００４３】
電源監視部２６が接続設定部２７と録画監視部４０に電源断信号を出力すると（Ｓ２０１）、接続設定部２７は、第１の接続設定から第２の接続設定へ切り換える（Ｓ２０２）。すなわち、接続設定部２７は、第２の記憶部３２と、ＳＤＲＡＭ３５と、録画監視部４０と、データ取得部４５と、制御部６０とにバッテリ２８を接続する。
【００４４】
バッテリ２８は、第２の記憶部３２とＳＤＲＡＭ３５と録画監視部４０とデータ取得部４５と制御部６０とに電源を供給する（Ｓ２０３）。具体的には、バッテリ２８は、充電による放電電力を出力する。
【００４５】
データ取得部４５は、取得データを第２の記憶部３２へ出力する（Ｓ２０４）。このとき制御部６０は、制御ブロック６０ｂ、６０ｄ〜６０ｆを介して、それぞれの接続先に制御信号を出力する。このステップにおける処理は、具体的には次のように行われる。データ取得部４５が、デジタル信号である取得データを制御部６０へ出力する。次に制御部６０は、デジタル信号である取得データをＳＤＲＡＭ３５に記憶させる。次に、制御部６０は、ＳＤＲＡＭ３５が記憶している取得データに対してデコード処理を行い、ＡＶデータに変換する。次に制御部６０は、変換した取得データを、ＳＤＲＡＭ３５から取り出して、第２の記憶部３２へ出力する。そして、ＳＤＲＡＭ３５は、記憶している取得データを削除する。最後に、第２の記憶部３２は取得データを記憶する。このようにして、データ取得部４５は、制御部６０を介して、取得データを第２の記憶部３２へ出力する。
【００４６】
電源監視部２６は、Ｓ２０４の処理と並行して、商用電源の電圧が所定の値を上回ることが検出されるか否かを判定する（Ｓ２０５）。
【００４７】
電源監視部２６が商用電源の電圧が所定の値を上回ることを検出した場合（Ｓ２０５のＹｅｓ）、電源監視部２６は、接続設定部２７と録画監視部４０とに電源入信号を出力する（図４のＳ３０１）。
【００４８】
録画監視部４０は、電源監視部２６が商用電源の電圧が所定の値を上回ることを検出しなかった場合（Ｓ２０５のＮｏ）、現在の時刻が録画を終了する時刻であるか否かを判定する（Ｓ２０６）。
【００４９】
録画監視部４０が現在の時刻が録画を終了する時刻であると判定しなかった場合（Ｓ２０６のＮｏ）、記憶装置１０は、Ｓ２０４の処理を継続する。
【００５０】
録画監視部４０が現在の時刻が録画を終了する時刻であると判定した場合（Ｓ２０６のＹｅｓ）、バッテリ２８による接続先への電源の出力を停止する（Ｓ２０７）。さらに、制御部６０は、データ取得部４５による取得データの出力を停止する（Ｓ２０７）。すなわち、Ｓ２０３の処理及びＳ２０４の処理は停止される。
【００５１】
なお、記憶装置１０は、Ｓ２０５において電源監視部２６が商用電源の電圧が所定の値を上回ることを検出した場合、図４のＳ３０１の処理を行うとした。しかし、前述の通り、電源監視部２６は、常に、電源供給部２０から電源部２５へ出力される商用電源の電圧又は電力を監視している。これにより、録画監視部４０は、Ｓ３０１〜Ｓ３０５のいずれかの処理の間で、電源監視部２６が商用電源の電圧が所定の値を上回ることを検出した場合、図４のＳ３０１の処理を行うとしても良い。
【００５２】
接続設定部２７は、電源監視部２６によって電源入信号が出力されると（Ｓ３０１）、第２の接続設定から第１の接続設定へ切り換える（Ｓ３０２）。
【００５３】
バッテリ２８は、第１の記憶部３１と、第２の記憶部３２と、転送部３３と、ＳＤＲＡＭ３５と、録画監視部４０と、データ取得部４５と、ＡＶ入出力部５０と、外部ペリフェラル入出力部５５と、制御部６０とに電源を出力する（Ｓ３０３）。
【００５４】
Ｓ３０３の処理が完了すると、記憶装置１０は、図２のＳ１０５の処理を行う。
【００５５】
以上、第１の実施形態に係る記憶装置１０の動作について説明した。
【００５６】
以上のように、本実施形態に記載の記憶装置１０は、第１の記憶部３１と、第２の記憶部３２と、転送部３３と、バッテリ２８と、電源監視部２６と、接続設定部２７とを備える。第１の記憶部３１は、転送データを記憶する。第２の記憶部３２は、第１の記憶部３１より少ない消費電力で動作し、第１の記憶部３１よりも速い速度で、画像データと音声データとの少なくとも一方を含む取得データを記憶する。転送部３３は、第２の記憶部３２が記憶した取得データを転送データとして転送する。バッテリ２８は、所定の電源から供給される商用電源によって充電され、電源を出力する。電源監視部２６は、商用電源の電圧が所定の値以下であることを検出した際、電源断信号を出力する。接続設定部２７は、第１の接続設定と第２の接続設定のどちらかを接続する。第１の接続設定は、第１の記憶部３１、第２の記憶部３２及び転送部３３をバッテリ２７に接続する設定である。第２の接続設定は、第２の記憶部３２をバッテリ２８に接続し、第１の記憶部３１及び転送部３３をバッテリ２８に接続しない設定である。接続設定部２７は、電源監視部２６が電源断信号を出力するまでは、第１の接続設定に設定し、電源監視部２６が電源断信号を出力したとき、接続設定部２７は第１の接続設定から第２の接続設定へ切り換える。
【００５７】
このように、電源監視部２６による電源断信号の出力が無い間、接続設定部２７は第１の接続設定を設定する。これによって、バッテリ２８は、第１の記憶部３１と、第２の記憶部３２及び転送部３３に接続される。そして、一方、電源監視部２６による電源断信号の入力があると、接続設定部２７は第２の接続設定を設定する。これによって、第１の記憶部３１及び転送部３３とをバッテリ２８に接続しない。したがって、電源監視部２６が電源断信号を出力したとき、接続設定部２７が第１の接続設定から第２の接続設定へ切り換えることにより、記憶装置１０の消費電力を抑制することができる。
【００５８】
また、接続設定部２７が第１の接続設定を設定しているとき、バッテリ２８は、第２の記憶部３２へ電源を出力する。一方で、接続設定部２７が第２の接続設定を設定しているときも、バッテリ２８は、第２の記憶部３２に電源を出力する。すなわち、接続設定部２７が第１の接続設定を設定しているときと第２の接続設定を設定しているときとの両方の場合において、バッテリ２８は、第２の記憶部３２に電源を出力している。このため、第１の接続設定から第２の接続設定に切り替えられる瞬間も、第２の記憶部３２は、電源が出力されている。これにより、電源の瞬断によるデータの欠落は生じない。また、取得データは、接続設定部２７が第１の接続設定を設定しているときと第２の接続設定を設定しているときとの両方の場合において、第２の記憶部３２に記憶される。これにより、記憶部の切り換えによるデータの欠落は生じない。この結果、第１の記憶部３１が記憶する転送データと、第２の記憶部３２が記憶する取得データの間に、データの欠落は生じない。
【００５９】
よって記憶装置１０によれば、停電が発生しても、消費電力を抑制しつつ、データの欠落を防いでデータを記憶することができる。
【００６０】
また、記憶装置１０は、電源監視部２６が商用電源の電圧が所定の値を上回ることを検出した際、電源入信号を出力する。そして、電源監視部２６が電源入信号を出力したとき、接続設定部２７は、第２の接続設定から第１の接続設定へ切り換える構成を備えている。この構成により、記憶装置１０は、商用電源の電圧が所定の値を上回ることをきっかけに、消費電力の少ない第２の記憶部３２から消費電力の多い第１の記憶部３１へ切り替える。これによって、記憶装置１０は、商用電源の電圧が所定の値以下である場合においては消費電力を抑制し、商用電源の電圧が所定の値を上回る場合には消費電力を抑制せずに動作できる。
【００６１】
また、記憶装置１０は、第１の記憶部３１と第２の記憶部３２と転送部３３とを制御する制御部６０を備える。そして、接続設定部２７が第１の接続設定に設定しているとき、制御部６０は、第１の記憶部３１と第２の記憶部３２と転送部３３とを制御する。また、制御部６０は、接続設定部２７が第２の接続設定に設定しているとき、第１の記憶部３１と転送部３３とを制御しない。この構成により、記憶装置１０は、商用電源の電圧が所定の値以下である場合に、制御部６０による制御対象を変更する。これによって、記憶装置１０は、停電時において、制御部６０による制御に必要な消費電力を抑制することができる。さらに、記憶装置１０は、転送部３３と制御部６０とを備えている。すなわち、記憶装置１０は、第１の記憶部３１と第２の記憶部３２と転送部３３とを制御する動作と、第２の記憶部３２が記憶した取得データを転送データとして転送する動作とが制御部６０と転送部３３によって別々に行われている。したがって、制御部６０に高い負荷がかかっている場合であっても、転送部３３による転送は安定して実施できるため、転送する動作の不具合によるデータの欠落が生じない。
【００６２】
また本実施形態に記載の記憶装置１０に関連する記憶方法は、第１の記憶部３１と、第２の記憶部３２と、転送部３３と、バッテリ２８と、電源監視部２６と、接続設定部２７とを備えた記憶装置の記憶方法である。記憶装置１０に関連する記憶方法は、第１接続ステップと、第２接続ステップと、を含む記憶方法である。第１接続ステップでは、第１の記憶部３１と、第２の記憶部３２及び転送部３３との各々をバッテリ２８に接続する第１の接続設定に設定する。第２の接続ステップでは、商用電源の電圧が所定の値以下であるとき、第１の接続設定から、第２の記憶部３２をバッテリ２８に接続し、第１の記憶部３１及び転送部３３をバッテリ２８に接続しない第２の接続設定へ切り換える。
【００６３】
記憶装置１０に関連する記憶方法は、記憶装置１０と同等の効果を奏することができる。
【００６４】
また、本実施形態に記載の記憶装置１０に関連するプログラムは、第１の記憶部３１と、第２の記憶部３２と、転送部３３と、バッテリ２８と、電源監視部２６と、接続設定部２７とを備えた記憶装置の制御プログラムである。記憶装置１０に関連する記憶プログラムは、第１接続ステップと、第２接続ステップと、を含む記憶プログラムである。
【００６５】
記憶装置１０に関連するプログラムは、記憶装置１０と同等の効果を奏することができる。
【００６６】
（第２の実施形態）
次に図５を用いて、第２の実施形態に係る記憶装置１０Ａを説明する。図５は、記憶装置１０Ａの構成を示すブロック図である。なお、図５では、図１で示した各構成要素と同等の構成要素には、図１に示した符号と同等の符号を付している。
【００６７】
図５に示されるように記憶装置１０Ａは、電源監視部２６と、接続設定部２７と、バッテリ２８と、第１の記憶部３１と、第２の記憶部３２と、転送部３３とを備えている。
【００６８】
電源監視部２６は、商用電源の電圧が所定の値以下であることを検出した際、電源断信号を出力する。
【００６９】
接続設定部２７は、第１の接続設定と、第２の接続設定とのどちらかを設定する。第１の接続設定とは、第１の記憶部３１、第２の記憶部３２及び転送部３３との各々をバッテリ２８に接続する設定である。また、第２の接続設定は、第２の記憶部３２をバッテリ２８に接続し、第１の記憶部３１及び転送部３３をバッテリ２８に接続しない。また、接続設定部２７は、電源監視部２６が電源断信号を出力するまでは第１の接続設定を設定する。
【００７０】
バッテリ２８は、所定の電源から供給される商用電源によって充電され、電力を出力する。
【００７１】
第１の記憶部３１は、転送データを記憶する。
【００７２】
第２の記憶部３２は、第１の記憶部３１より少ない消費電力で動作し、第１の記憶部３１よりも速い速度で、画像データと音声データとの少なくとも一方を含む取得データを記憶する。
【００７３】
転送部３３は、第２の記憶部３２が記憶した取得データを転送データとして転送する。
【００７４】
次に、図６を用いて、記憶装置１０Ａの動作を説明する。図６は、記憶装置１０Ａの動作フローを示す図である。図６に示す動作フローを説明する下記の動作は、バッテリ２８が、所定の電源から供給される商用電源の一部によって充電されていることを前提とする。
【００７５】
電源断信号の入力がない間、接続設定部２７は、第１の接続設定を設定する（Ｓ１００１）。
【００７６】
バッテリ２８は、第１の記憶部３１と、第２の記憶部３２及び転送部３３とに電源を供給する（Ｓ１００２）。
【００７７】
第２の記憶部３２は、取得データを記憶する（Ｓ１００３）。さらに、転送部３３は、第２の記憶部３２が記憶した取得データを転送データとして第１の記憶部３１へ転送する（Ｓ１００３）。
【００７８】
電源監視部２６は、商用電源の電圧が所定の値以下であるかどうかを判定する（Ｓ１００４）。
【００７９】
記憶装置１０Ａは、電源監視部２６が商用電源の電圧が所定の値以下であることを検出しなかったとき（Ｓ１００４のＮｏ）、Ｓ１００３の処理を継続する（Ｓ１００５）。
【００８０】
接続設定部２７は、電源監視部２６が商用電源の電圧が所定の値以下であることを検出したとき（Ｓ１００４のＹｅｓ）電源断信号を出力され、第１の接続設定から第２の接続設定へ切り換える（Ｓ１００６）。
【００８１】
バッテリ２８は、第２の記憶部３２に接続され、第１の記憶部３１及び転送部３３に接続されな。これにより、バッテリ２８は、第１の記憶部３１及び転送部３３への電源出力を停止する（Ｓ１００７）。
【００８２】
第２の記憶部３２は、取得データを記憶する（Ｓ１００８）。
【００８３】
以上、記憶装置１０Ａの動作について説明した。
【００８４】
以上のように、本実施形態に記載の記憶装置１０Ａは、第１の記憶部３１と、第２の記憶部３２と、転送部３３と、バッテリ２８と、電源監視部２６と、接続設定部２７とを備える。第１の記憶部３１は、転送データを記憶する。第２の記憶部３２は、第１の記憶部３１より少ない消費電力で動作し、第１の記憶部３１よりも速い速度で、画像データと音声データとの少なくとも一方を含む取得データを記憶する。転送部３３は、第２の記憶部３２が記憶した取得データを転送データとして転送する。バッテリ２８は、所定の電源から供給される商用電源によって充電され、電源を出力する。電源監視部２６は、商用電源の電圧が所定の値以下であることを検出した際、電源断信号を出力する。接続設定部２７は、第１の接続設定と第２の接続設定のどちらかを接続する。第１の接続設定は、第１の記憶部３１、第２の記憶部３２及び転送部３３をバッテリ２７に接続する設定である。第２の接続設定は、第２の記憶部３２をバッテリ２８に接続し、第１の記憶部３１及び転送部３３をバッテリ２８に接続しない設定である。接続設定部２７は、電源監視部２６が電源断信号を出力するまでは、第１の接続設定に設定し、電源監視部２６が電源断信号を出力したとき、接続設定部２７は第１の接続設定から第２の接続設定へ切り換える。
【００８５】
このように、電源監視部２６による電源断信号の出力が無い間、接続設定部２７は第１の接続設定を設定する。これによって、バッテリ２８は、第１の記憶部３１と、第２の記憶部３２及び転送部３３に接続される。そして、一方、電源監視部２６による電源断信号の入力があると、接続設定部２７は第２の接続設定を設定する。これによって、第１の記憶部３１及び転送部３３とをバッテリ２８に接続しない。したがって、電源監視部２６が電源断信号を出力したとき、接続設定部２７が第１の接続設定から第２の接続設定へ切り換えることにより、記憶装置１０の消費電力を抑制することができる。
【００８６】
また、接続設定部２７が第１の接続設定を設定しているとき、バッテリ２８は、第２の記憶部３２へ電源を出力する。一方で、接続設定部２７が第２の接続設定を設定しているときも、バッテリ２８は、第２の記憶部３２に電源を出力する。すなわち、接続設定部２７が第１の接続設定を設定しているときと第２の接続設定を設定しているときとの両方の場合において、バッテリ２８は、第２の記憶部３２に電源を出力している。このため、第１の接続設定から第２の接続設定に切り替えられる瞬間も、第２の記憶部３２は、電源が出力されている。これにより、電源の瞬断によるデータの欠落は生じない。また、取得データは、接続設定部２７が第１の接続設定を設定しているときと第２の接続設定を設定しているときとの両方の場合において、第２の記憶部３２に記憶される。これにより、記憶部の切り換えによるデータの欠落は生じない。この結果、第１の記憶部３１が記憶する転送データと、第２の記憶部３２が記憶する取得データの間に、データの欠落は生じない。
【００８７】
よって記憶装置１０Ａによれば、停電が発生しても、消費電力を抑制しつつ、データの欠落を防いでデータを記憶することができる。
【符号の説明】
【００８８】
１０、１０Ａ  記憶装置
２０  電源供給部
２５  電源部
２６  電源監視部
２７  接続設定部
２８  バッテリ
３０  記憶機器
３１  第１の記憶部
３２  第２の記憶部
３３  転送部
３５  ＳＤＲＡＭ
４０  録画監視部
４５  データ取得部
５０  ＡＶ入出力部
５５  外部ペリフェラル入出力部
６０  制御部
６０ａ、６０ｂ、６０ｃ、６０ｄ、６０ｅ、６０ｆ、６０ｇ、６０ｈ  制御ブロック
【図１】
0006374427.tif 000002
【図２】
0006374427.tif 000003
【図３】
0006374427.tif 000004
【図４】
0006374427.tif 000005
【図５】
0006374427.tif 000006
【図６】
0006374427.tif 000007